(57)【要約】【課題】  本発明は、ユーザの動作に応じて、不在着信があることを通知する携帯電話端末、プログラム、及び半導体チップを提供することを目的とする。【解決手段】  本発明の携帯電話端末１００は、不在着信に起因する情報を記憶する記憶部６と、携帯電話端末１００が接触されたことを検出する接触感知センサ１０と、接触感知センサ１０が、携帯電話端末１００が接触されたことを検出したとき、記憶部６に記憶された不在着信に起因する情報に基づいて不在着信があることを通知する通知部８と、を有するものである。【選択図】  図４
2006295554.tif 000002
【特許請求の範囲】
【請求項１】
通信の発着信機能を有する通信端末において、
不在着信に起因する情報を記憶する記憶部と、
前記通信端末が接触されたことを検出する第１の検出部と、
前記第１の検出部が接触されたことを検出したとき、前記記憶部に記憶された前記不在着信に起因する情報に基づいて不在着信があることを通知する通知部と、
を備えることを特徴とする通信端末。
【請求項２】
前記通信端末への操作を受け付ける入力部を備え、
前記第1の検出部は、前記入力部による操作を伴わずに接触されたことを検出する
ことを特徴とする請求項１に記載の通信端末。
【請求項３】
所定の情報を表示する表示部と、
前記表示部がユーザから見えない状態であることを検出する第２の検出部と、
を備え、
前記第２の検出部が前記状態であることを検出し、前記第１の検出部が接触されたことを検出したとき、前記通知部は前記記憶部に記憶された不在着信に起因する情報に基づいて不在着信があることを通知する
ことを特徴とする請求項１または請求項２に記載の通信端末。
【請求項４】
前記表示部がユーザから見えない状態とは、前記表示部の上部に、前記表示部による前記通知の表示を妨げるものがある状態である
ことを特徴とする請求項３に記載の通信端末。
【請求項５】
前記第１の検出部は、接触された部分の温度変化を検出するセンサであり、
前記第１の検出部が、前記温度変化を検出したとき、前記通知部は前記記憶部に記憶された前記不在着信に起因する情報に基づいて不在着信があることを通知する
ことを特徴とする請求項１から請求項４のいずれかに記載の通信端末。
【請求項６】
前記第１の検出部は前記通信端末が水平方向の状態を検出するセンサであり、
前記第１の検出部が、前記通信端末は水平な状態ではないと検出したとき、
前記通知部は前記記憶部に記憶された前記不在着信に起因する情報に基づいて不在着信があることを通知する
ことを特徴とする請求項１から請求項４のいずれかに記載の通信端末。
【請求項７】
前記第２の検出部は前記表示部の周囲の照度を検出し、
前記第２の検出部が検出した照度が所定の値以下であり、前記第１の検出部が接触されたこと検出したとき、前記通知部は前記記憶部に記憶された前記不在着信に起因する情報に基づいて不在着信があることを通知する
ことを特徴とする請求項３から請求項６に記載の通信端末。
【請求項８】
前記第１の検出部と前記第２の検出部とに電力を供給する電源と、
前記記憶部に前記不在着信に起因する情報が記憶されているとき、前記電源と前記第１の検出部または前記第２の検出部とを接続状態にし、
前記記憶部に前記不在着信に起因する情報が記憶されていないとき、前記電源と前記第１の検出部または前記第２の検出部とを切断状態にする切換部と、
を備えることを特徴とする請求項３から請求項７のいずれかに記載の通信端末。
【請求項９】
通信の発着信機能を有する通信端末において、
不在着信に起因する情報を記憶する記憶部と、
前記通信端末との通信が可能な第２の通信端末からの所定の情報を受信する受信部と、
前記受信部が前記所定の情報を受信したとき、前記記憶部に記憶された前記不在着信に起因する情報に基づいて不在着信があることを通知する通知部と、
を備えることを特徴とする通信端末。
【請求項１０】
所定の情報を表示する表示部と、
前記表示部がユーザから見えない状態であることを検出する第２の検出部と、
を備え、
前記第２の検出部が前記状態であることを検出し、前記受信部が前記所定の情報を受信したとき、前記通知部は前記記憶部に記憶された前記不在着信に起因する情報に基づいて不在着信があること通知する
ことを特徴とする請求項９に記載の通信端末。
【請求項１１】
前記第２の検出部は、前記表示部の周囲の照度を検出するセンサであり、
前記第２の検出部が検出した照度が所定の値以下であり、前記受信部が前記所定の情報を受信したとき、前記通知部は、前記記憶部に記憶された前記不在着信に起因する情報に基づいて不在着信があること通知する
ことを特徴とする請求項１０に記載の通信端末。
【請求項１２】
前記第２の検出部と前記受信部とに電力を供給する電源と、
前記記憶部に前記不在着信に起因する情報が記憶されているとき、前記電源と前記第２の検出部または前記受信部とを接続状態にし、
前記記憶部に前記不在着信に起因する情報が記憶されていないとき、前記電源と前記第２の検出部または前記受信部とを切断状態にする切換部と、
を備えることを特徴とする請求項１０から請求項１２のいずれかに記載の通信端末。
【請求項１３】
通信の発着信機能を有する通信端末を制御するプログラムにおいて、
不在着信に起因する情報を記憶するステップと、
前記通信端末が接触されたことを検出するステップと、
前記通信端末が接触されたこと検出したとき、前記記憶された前記不在着信に起因する情報に基づいて不在着信があること通知するステップと、
を実行させるためのプログラム。
【請求項１４】
通信の発着信機能を有する通信端末を制御する制御部を有する半導体集積回路において、
前記制御部は、
不在着信に起因する情報を記憶させ、
前記通信端末が接触されたことを検出させ、
前記通信端末が接触されたこと検出されたとき、前記記憶された前記不在着信に起因する情報に基づいて不在着信があること通知させる
ことを特徴とする半導体集積回路。
【発明の詳細な説明】
【技術分野】
【０００１】
本発明は、通信端末、プログラム、及び半導体集積回路に関するものである。
【背景技術】
【０００２】
従来の通信端末において、電話やメール等の着信に対して通信端末のユーザが応答しなかった場合、ユーザが応答しなかった着信（以下、不在着信）があることを表示部に表示してユーザに知らせる技術がある。例えば、電話の着信の場合は「不在着信あり」と表示し、メールの着信の場合はアイコンを表示する。また、音や振動や光を定期的に発生させてユーザに対して知らせる技術がある。特許文献1記載の技術では、不在着信がある場合、図１に示すようにユーザが確認するまで「不在着信あり」と表示部に表示し、また着信を受けてから所定の時間が経てば音や振動を発生させて不在着信があることをユーザに通知し、ユーザが不在着信を確認しなければ再度所定の時間後に音や振動を発生させて通知を行う、という処理を繰り返すことによりユーザに対して不在着信があることを通知していた。
【０００３】
【特許文献１】特開２００１−３３３１５８号公報
【発明の開示】
【発明が解決しようとする課題】
【０００４】
しかしながら、上述した従来の技術では以下のような課題があった。所定の間隔で不在着信があることを音や振動や光を発生させて通知する技術では、通信端末を机の上に置いたままでユーザが通信端末の近くにいない場合や、通信端末を鞄の中に入れたままである場合、音等を発生させる通知が行われてもユーザは気付かない可能性が高く、そのような気付かない可能性が高い状況でも繰り返し通知が行われるという課題があった。
【０００５】
また、表示部に表示させて不在着信があることをユーザに通知する技術では、例えば通信端末が裏返って置かれているように、表示部がユーザに見えない状態で通信端末が置かれている場合、ユーザは通信端末の近くにいても表示部に「不在着信あり」と表示されていることに気付かないという課題があった。
【０００６】
本発明は、上記従来の課題を解決するものであり、ユーザの動作に応じて、不在着信があることを通知する通信端末、プログラム、及び半導体チップを提供することを目的とする。
【課題を解決するための手段】
【０００７】
前記従来の課題を解決するために、本発明の通信端末は、不在着信に起因する情報を記憶する記憶部と、前記通信端末が接触されたことを検出する第１の検出部と、前記第１の検出部が接触されたことを検出したとき、前記記憶部に記憶された前記不在着信に起因する情報に基づいて不在着信があることを通知する通知部と、を備えるものである。
【０００８】
本構成によると、記憶部に不在着信に起因する情報が記憶されており、前記通信端末が接触されたとき、不在着信があることをユーザに通知することができる。
【０００９】
また、本発明の通信端末は上記構成に加え、所定の情報を表示する表示部と、前記表示部がユーザから見えない状態であることを検出する第２の検出部と、を更に備えるものである。
【００１０】
本構成によると、記憶部に不在着信に起因する情報が記憶されており、前記表示部がユーザから見えない状態にあり、前記通信端末が接触されたとき、不在着信があることを通知部が通知を行うことができる。
【００１１】
また、本発明の通信端末は上記構成に加え、前記第１の検出部又は前記第２の検出部に電力を供給する電源と、前記記憶部に前記不在着信に起因する情報が記憶されているとき、前記電源と前記第１の検出部又は前記電源と前記第２の検出部とを接続状態にし、前記記憶部に前記不在着信に基づく情報が記憶されていないとき、前記電源と前記第１の検出部又は前記電源と前記第２の検出部とを切断状態にする切換部と、を更に有するものである。
【００１２】
本構成によると、切換部は、不在着信に基づく情報が記憶部に記憶されているとき電源と第１の検出部または電源と第２の検出部とを接続状態にし、不在着信に基づく情報が記憶部に記憶されていないとき電源と第１の検出部または電源と第２の検出部とを切断状態にすることができる。
【００１３】
また、本発明の通信端末は、不在着信に起因する情報を記憶する記憶部と、前記通信端末との通信が可能な第２の通信端末からの所定の情報を受信する受信部と、前記受信部が前記所定の情報を受信したとき、前記記憶部に記憶された前記不在着信に起因する情報に基づいて不在着信があることを通知する通知部と、を備えるものである。
【００１４】
本構成によると、記憶部に不在着信に起因する情報が記憶されており、前記通信端末が、前記通信端末と通信が可能な第２の通信端末から所定の情報を受信したとき、不在着信があることをユーザに通知することができる。
【００１５】
また、本発明の通信端末は上記構成に加え、所定の情報を表示する表示部と、前記表示部がユーザから見えない状態であることを検出する第２の検出部と、を更に備えるものである。
【００１６】
本構成によると、記憶部に不在着信に起因する情報が記憶されており、前記表示部がユーザから見えない状態にあり、前記通信端末が、前記通信端末と通信が可能な第２の通信端末から所定の情報を受信したとき、不在着信があることを通知部が通知を行うことができる。
【００１７】
また、本発明の通信端末は上記構成に加え、前記第２の検出部と前記受信部とに電力を供給する電源と、前記記憶部に前記不在着信に起因する情報が記憶されているとき、前記電源と前記第２の検出部または前記受信部とを接続状態にし、前記記憶部に前記不在着信に起因する情報が記憶されていないとき、前記電源と前記第２の検出部または前記受信部とを切断状態にする切換部と、を備えるものである。
【００１８】
本構成によると、切換部は、不在着信に基づく情報が記憶部に記憶されているとき電源と受信部または第２の検出部とを接続状態にし、不在着信に基づく情報が記憶部に記憶されていないとき電源と受信部または電源と第２の検出部とを切断状態にすることができる。
【００１９】
また、本発明のプログラムは、不在着信に起因する情報を記憶するステップと、前記通信端末が接触されたことを検出するステップと、前記通信端末が接触されたこと検出したとき、前記記憶された前記不在着信に起因する情報に基づいて不在着信があること通知するステップと、を実行させるためのプログラムである。
【００２０】
本発明のプログラムによると、記憶部に不在着信に起因する情報が記憶させ、前記通信端末が接触されたことを検出させたとき、通知部により不在着信があることをユーザに通知させることができる。
【００２１】
また、本発明の半導体集積回路は、通信端末を制御する制御部を有し、前記制御部は、不在着信に起因する情報を記憶させ、前記通信端末が接触されたことを検出させ、前記通信端末が接触されたこと検出されたとき、前記記憶された前記不在着信に起因する情報に基づいて不在着信があること通知させることを特徴とするものである。
【００２２】
本発明の本発明の半導体集積回路によると、制御部は、記憶部に不在着信に起因する情報が記憶させ、前記通信端末が接触されたことを検出させたとき、通知部により不在着信があることをユーザに通知させることができる。
【発明の効果】
【００２３】
本発明の通信端末、プログラム、及び半導体チップによれば、通信端末がユーザの動作に応じて不在着信があることを通知することができる。
【発明を実施するための最良の形態】
【００２４】
以下本発明を実施するための最良の形態について、図面を参照しながら説明する。以下では、通信端末として携帯電話端末を用いた場合について説明する。実施の形態１では、ユーザが実施の形態１における携帯電話端末に接触したとき不在着信があることを音や振動で通知する携帯電話端末について説明する。また、表示部を用いて不在着信を通知する場合において、表示部がユーザから見えない状態であり、かつユーザに接触されたとき、不在着信があることを音や振動等で通知する携帯電話端末について説明する。また、実施の形態２では、実施の形態１の携帯電話端末に、更に不在着信がない場合は携帯電話端末の状態を検出する検出部への電源の供給をストップすることができる切換部の構成を加えた携帯電話端末について説明する。
【００２５】
（実施の形態１）
図４は、本発明の実施の形態１における携帯電話端末１００の構成を示すブロック図である。図４に示す携帯電話端末１００を構成する各構成について説明する。
【００２６】
アンテナ１は、基地局に対して電波の送受信を行う。無線部２は、電波の変復調等の処理を行う。制御部３は、各構成を制御して以下で説明する各動作を行う。入力部４は操作キー等で構成され、ユーザによる操作キーの押下に基づいて携帯電話端末１００に対し信号を入力する。表示部５は、LＣDパネルや有機ELパネル等から構成され、不在着信があることを表示して通知したり、その他各情報を表示する。
【００２７】
記憶部６は、RＡM等で構成され、判定部１１が判定する際に用いる条件等を記憶する。本実施の形態においては、「置き方センサ９の出力値が０である」という第１の条件と、「接触感知センサ１０の出力値が１である」という第２の条件を記憶する。また、着信情報１４、不在着信情報１５（図１１参照）、及びその他各種情報を記憶する。
【００２８】
音声入出力部７は、携帯電話端末１００の外部に対して音声データを入出力するマイクやスピーカ等である。通知部８は、音または振動を発生させてユーザに対し通知を行う。
【００２９】
置き方センサ９は、図６に示すように可動子１２とスイッチ１３から構成されており、表示部５が下を向いた状態や、表示部５の上部にユーザが表示内容を視認することを妨げるものがある状態であるため、表示部５が隠れてユーザから見えない状態で携帯電話端末１００が置かれていることを検出する。図５（ａ）に示す表示部が１つであるストレートタイプの携帯電話端末である場合、表示部５と反対側の面に配置する。
【００３０】
例えば図６（ａ）では、携帯電話端末１００が置き方センサ９を配置した面が机と接触するように置かれているため、可動子１２は机から図の矢印の方向に力を受け、スイッチ１３がオンの状態になっていることを示している。スイッチ１３がオンの状態になると、置き方センサ９が配置されている面が机と接触していることを示す出力値として１を制御部３へ出力する。
【００３１】
また、図６（ｂ）では、携帯電話端末１００が置き方センサ９を配置した面とは反対の面が机と接触するように置かれているため、可動子１２は力を受けず、スイッチ１３がオフの状態になっていることを示している。スイッチ１３がオフの状態であるとき、置き方センサ９が配置されている面が机と接触していないことを示す出力値として０を制御部３へ出力する。
【００３２】
接触感知センサ１０は、検出部分がユーザと接触すると、接触した部分の温度が変化することを検出する。検出部分の温度が変化したとき、ユーザが接触したことを示す出力値として１を制御部３へ出力し、検出部分の温度が変化しないとき、ユーザが接触していないことを示す出力値として０を制御部３へ出力する。
【００３３】
検出部分は、図７の斜線部であり、携帯電話端末１００の筐体の外側全面である。これにより、ユーザが携帯電話端末１００の筐体のどの部分を触ってもユーザが接触したことを検出することができる。なお、ここで言う接触とは、例えば入力部４の操作キーの押下を伴わずに携帯電話端末１００に触れることである。
【００３４】
判定部１１は、置き方センサ９の出力が記憶部６に記憶された第１の条件を満たすかを判定し、また接触感知センサ１０の出力が記憶部６に記憶された第２の条件を満たすかを判定し、更に記憶部６に不在着信情報１５が記憶されているかを判定する。
【００３５】
着信情報１４は、発信側端末情報や着信日時情報など着信に関する情報である。
【００３６】
不在着信情報１５は、着信情報１４とユーザが応答していないことを示すフラグ１６とを有する情報であり、図１１に示す構造を有している。
【００３７】
以下、着信を受けたときに不在着信を記憶する方法について説明する。図８は、着信を受けたときから、不在着信情報１５を記憶するまでの動作フローの一例を示すものである。アンテナ１が基地局からの電波を受信すると（ステップＡ１）、表示部５が着信を受けた旨を表示し、通知部８が音や振動等を発生させてユーザに着信を受けたことを通知する着信動作を開始する（ステップＡ２）。
【００３８】
着信動作中にユーザが入力部４を操作して応答した場合（ステップＡ３）、ステップＡ７に移る。ステップＡ７では、発信側端末情報や着信日時情報など着信に関する情報を着信情報１４として記憶部６に記憶する。その後、不在着信保存フローを終了する。
【００３９】
ユーザが応答せず、ユーザが入力部４を操作して着信に応答し、その後切断した以外の要因により基地局からの通信が切断されると（ステップＡ４）、ステップＡ５に移る。通信が切断される要因は、発信側端末または携帯電話端末１００が各ユーザからの操作を受けて通信が切断されたこと、発信側端末または携帯電話端末１００が圏外のエリアに入ったこと等である。
【００４０】
ステップＡ５で着信動作を終了し、ステップＡ６に移る。ステップＡ６では、着信の信側端末情報や着信日時情報など着信に関する情報と共に着信に対してユーザが応答していないことを示すフラグ１６とを不在着信情報１５として記憶部６に記憶する。その後、不在着信保存フローを終了する。
【００４１】
次に、不在着信があることをユーザに通知する方法について説明する。図９は、記憶部６に不在着信情報１５が記憶されている場合に、携帯電話端末がユーザからの接触を受けると不在着信があることを通知する動作フローである。
【００４２】
ステップＢ１において、判定部１１は記憶部６に不在着信情報１５が記憶されているかを判定する。記憶されていないと判定したときは不在着信通知フローを終了し、記憶されていると判定したときはステップＢ４に移る。
【００４３】
ステップＢ４では、判定部１１は接触感知センサ１０の出力値が第２の条件を満たすかを判定する。携帯電話端末１００が検出部分にユーザからの接触を受けたとき、接触感知センサ１０は検出部分の温度変化を検出し、温度変化したことを示す出力値として１を出力する。この場合、判定部１１は第２の条件を満たすと判定し、ステップＢ６に移る。携帯電話端末１００が検出部分にユーザからの接触を受けていないとき、接触感知センサ１０は検出部分の温度変化を検出せず、温度変化していないことを示す出力値として０を出力する。この場合、判定部１１は第２の条件を満たさないと判定し、ステップＢ４に戻る。
【００４４】
ステップＢ６では、通知部８が音または振動を発生させてユーザに対して不在着信があることを通知する。その後、不在着信通知フローを終了する。
【００４５】
さらに、上記の通知を受けてユーザが不在着信を確認し、不在着信情報１５のユーザが応答していないことを示すフラグ１６を消去する方法について図１０を用いて説明する。図１０は、ユーザが不在着信を確認してから不在着信情報１５を消去するまでの動作フローである。
【００４６】
図７に示す入力部４の一つである着信履歴ボタン２０がユーザにより押下されると（ステップＣ１）、表示部５は、記憶部６に記憶された不在着信情報１５を表示する（ステップＣ２）。これによりユーザは不在着信について内容を確認することができる。次にステップＣ３に移る。
【００４７】
ステップＣ３では、不在着信情報１５に含まれているユーザが応答していないことを示すフラグ１６を消去する。その後不在着信確認フローを終了する。
【００４８】
以上のように、本実施の形態では、着信があったがユーザが応答しなかったとき、不在着信情報１５を記憶部６に記憶し、接触感知センサ１０が、携帯電話端末１００がユーザに接触されたことを検出したとき、通知部８が通知を行う。
【００４９】
これにより、ユーザは不在着信があることを表示した表示部５を見ることなく、携帯電話端末１００に接触するだけで不在着信があることを知ることができる。また、ユーザが携帯電話端末１００に接触したとき通知を行うため、通知を行う回数が減り、周囲への迷惑を緩和し、通知部８による電力の消費を減らすことができる。
【００５０】
次に、図１に示すように表示部５が表示することにより不在着信あることをユーザに通知する場合において、表示部５がユーザから見えない状態であり、かつユーザに接触されたとき、不在着信があることを通知部８が通知する携帯電話端末について以下に説明する。
【００５１】
図１２は、不在着信がある場合において、表示部５がユーザから見えない状態であり、携帯電話端末１００がユーザに接触されたとき、不在着信があることを通知する動作フローである。
【００５２】
ステップＢ１において、判定部１１は記憶部６に不在着信情報１５が記憶されているかを判定する。記憶されていないと判定したときは不在着信通知を終了し、記憶されていると判定したときはステップＢ２に移る。
【００５３】
ステップＢ２において、判定部１１は置き方センサ９の出力が第1の条件を満たすかを判定する。携帯電話端末１００が、図６（ｂ）に示すように表示部５がユーザから見えない状態で置かれている場合、置き方センサ９はスイッチ１３がオフの状態であるため出力値として０を出力する。この場合、判定部１１は、第1の条件を満たすと判定し、ステップＢ４に移る。
【００５４】
携帯電話端末１００が、図６（ａ）に示すように表示部５がユーザから見える状態で置かれている場合、スイッチ１３はオンの状態となり置き方センサ９は出力値として０を出力する。この場合、判定部１１は第1の条件を満たさないと判定し、不在着信通知フローを終了する。ステップＢ４以下の動作については上で説明しているので省略する。
【００５５】
これにより、不在着信があることを表示部５が図１に示すように表示することによりユーザに通知する場合において、携帯電話端末１００が、不在着信表示部５ユーザから見えない状態で置かれていることを置き方センサ９が検出し、接触感知センサ１０が、携帯電話端末１００がユーザと接触したことを検出したとき、通知部８は不在着信があることを通知することができる。
【００５６】
なお、図１２を用いて、置き方センサ９の出力値が第1の条件を満たすかを判定し、第1の条件を満たすと判定したとき、温度センサ１０の出力値が第2の条件を満たすかを判定するという処理手順で説明したが、かかる判定の順序にかかわらず、第1の条件と第2の条件を両方満たす場合のみ不在着信があることを通知することにより本発明の効果を奏することができる。
【００５７】
また、現在普及している携帯電話端末の形状として、本実施の形態で説明した図２（ａ）に示すストレートタイプ以外に、図２（ｂ）に示す折りたたみタイプで図２（ｄ）に示すように開状態のときに使用するメイン表示部と図２（ｂ）に示すように閉状態のときに使用するサブ表示部とを有する２画面折りたたみタイプと、図２（ｃ）に示す折りたたみタイプで図２（ｄ）に示すように開状態のときに使用するメイン表示部のみを有する１画面折りたたみタイプ等がある。以下、１画面折りたたみタイプと、２画面折りたたみタイプの携帯電話端末についての置き方センサ９の配置について説明する。
【００５８】
２画面折りたたみタイプの場合は例えば図５（ｂ）に示すようにサブ表示部と反対側の面に配置する。これにより、携帯電話端末１００が、不在着信があることを表示しているサブ表示部５がユーザから見えない状態で置かれている場合、置き方センサ９はスイッチ１３がオフの状態となり０を出力する。記憶部６には第１の条件として本実施の形態と同様に「置き方センサ９の出力値が０である」という条件を記憶しておく。動作フローは本実施の形態と同様であるため、省略する。
【００５９】
また、１画面折りたたみタイプの場合や、２画面折りたたみタイプであってもサブ表示部５に不在着信があることを表示できないタイプである場合、例えば図５（ｃ）に示すように携帯電話端末の閉じた時にスイッチがオンになる位置に配置する。これにより携帯電話端末の開閉状態を検出でき、携帯電話端末が閉じた状態である場合、置き方センサ９はスイッチ１３がオンとなり１を出力する。記憶部６には第１の条件として、「置き方センサ９の出力値が１である」という条件を記憶しておく。動作フローは本実施の形態と同様であるため、省略する。
【００６０】
置き方センサ９の配置する位置は、上述した場所に限らず、表示部５と同じ面に配置してもよい。この場合は、表示部５が隠れた状態で携帯電話端末が置かれているときスイッチ１３がオンとなり１を出力するので、記憶部６には第１の条件として、「置き方センサ９の出力値が１である」という条件を記憶しておけばよい。
【００６１】
また、本実施の形態では接触感知センサ１０の検出部分は、携帯電話端末１００の入力部４と表示部５とを含む筐体の外側全体としたが、例えば、図１３（ａ）の斜線部で示すように入力部４と表示部５とを除く筐体の外側全体としたり、図１３（ｂ）の斜線部で示すようにユーザが携帯電話端末１００を持ったときに接触しやすい筐体の側面のみとしてもよい。
【００６２】
さらに、置き方センサ９として、周囲の明るさを検出する照度センサを用いてもよい。照度センサを用いた場合について以下説明する。
【００６３】
図１４に示す位置に照度センサを配置し、表示部５の周囲の照度を検出する。図１４に示すそれぞれの形状において、不在着信を表示する表示部５がユーザから見えない状態で携帯電話端末が置かれているとき、照度センサは室内光が当たり、室内光の照度値を検出し、照度値を出力する。逆に、表示部５が隠れた状態で携帯電話端末が置かれているとき、照度センサは室内光が遮られ、照度値は室内光の照度値よりも低い値を出力する。そこで、照度センサに室内光がほとんど当たっていない場合は照度値が例えば５ルクス以下であるとして、第１の条件を、「照度センサの出力が５ルクス以下を示すものである」とする。
【００６４】
第１の条件を満たし、さらに接触感知センサ１０が、ユーザが接触したことを検出したとき不在着信を通知する。動作フローは本実施の形態と同様であるため省略する。
【００６５】
また、本実施の形態では不在着信情報１５の有無を判定した後に置き方センサ９と接触感知センサ１０の検出値が条件を満たすかを判定していたが、置き方センサ９と接触感知センサ１０の検出値が条件を満たすかを判定したあとに不在着信情報１５の有無を判定してもよい。置き方センサ９と接触感知センサ１０の検出値が条件を満たしたと判定した後に不在着信情報１５の有無を判定する場合について説明する。
【００６６】
着信を受けてから不在着信情報１５を記憶するまでの動作フローは図８と同様であり、ユーザが不在着信を確認し、不在着信を消去するまでの動作フローは図１０と同様であるので、説明は省略する。不在着信があることをユーザに通知するまでの方法ついて説明する。図１５は不在着信があることをユーザに通知する動作フローである。
【００６７】
ステップＤ１において、置き方センサ９は周囲の照度値を検出する。ステップＤ２において、判定部１１は、置き方センサ９の検出した照度値が記憶部６に記憶された第１の条件を満たすかを判定する。図１４のように携帯電話端末１００が置かれている場合、置き方センサ９は室内光が当たり、照度値は室内光の照度値となる。この場合、「照度センサの出力が５ルクス以下を示す値である」という第１の条件を満たさないと判定し、不在着信通知フローを終了する。また、図３のように携帯電話１００が置かれている場合、置き方センサ９は室内光が当たらないため照度値は室内光の照度値に比べて低く、第１の条件を満たすと判定し、ステップＤ３へ移る。
【００６８】
ステップＤ３では、接触感知センサ１０は検出部分の温度変化を検出する。ステップＤ４において、接触感知センサ１０からの出力が記憶部６に記憶された第２の条件を満たすかを判定する。検出部分がユーザと接触した場合、温度変化を検出するため第２の条件を満たすと判定し、ステップＤ５に移る。
【００６９】
検出部分がユーザに接触していない場合、接触感知センサ１０は温度変化を検出せず、第２の条件を満たさないと判定し、ステップＤ３に戻る。
【００７０】
ステップＤ５では、判定部１１は記憶部６に不在着信情報１５が記憶されているかを判定する。記憶されていると判定したときはステップＤ６に移る。記憶されていないと判定したときは不在着信通知フローを終了する。
【００７１】
ステップＤ６では、通知部８が音または振動を発生させてユーザに対して不在着信があることを通知する。その後、不在着信通知フローを終了する。
【００７２】
また、本実施の形態では、受けた着信が不在着信であるか否かを判定するために不在着信に関する情報をユーザが応答していないことを示すフラグ１６と共に記憶部６に記憶したが、不在着信であるか否かを判定できる方法であればどのような方法でもよい。例えば、図１１（ｂ）に示すようにユーザが応答した着信に関する情報は応答したことを示すフラグ１７と共に記憶し、図１１（ｃ）に示すように不在着信に関する情報は応答していないことを示すフラグ１６と共に記憶する。その後、ユーザが不在着信について確認すると、図１１（ｂ）に示すようにユーザが応答していないことを示すフラグ１６を応答したことを示すフラグ１７に変更したり、図１１（ｄ）に示すようにユーザが不在着信を確認したことを示すフラグ１８を更に不在着信情報１５に付加する等、既に確認した不在着信とまだ確認されていない不在着信とを区別できるようにすればよい。
【００７３】
そして、本実施の形態では、接触感知センサ１０として接触型温度センサを用いたが、携帯端末の外部の状況を検出するものであればどのようなセンサでもよい。例えば、携帯端末の外部の状況を検出するものとして、ユーザにより携帯電話端末１００が保持されていることを検出するセンサや、ユーザが携帯電話端末１００に接近したことを検出するセンサ等が挙げられる。
【００７４】
ユーザにより携帯電話端末１００が保持されていることを検出するセンサとして傾斜感知センサが考えられる。これは、一般的に携帯電話端末を手元に置いている場合はユーザが保持していたりポケットに入れていたり鞄の中に入れていることがほとんどであるため、携帯電話端末が水平な状態ではない。しかし、携帯電話端末を使用しないため手元におかず放置する場合は、机等の略水平な物の上に置いておきユーザは携帯電話端末から離れている場合が多い。
【００７５】
そこで、携帯電話端末が略水平な状態ではないとき、ユーザに保持されていたりポケットの中に入れられている等、ユーザが近くにいるとして、不在着信があることを通知する。
【００７６】
以下、傾斜感知センサを接触感知センサ１０として用いた場合について説明する。
【００７７】
傾斜感知センサは、水平な状態で置かれているときは出力値として１を出力し、水平ではなく傾斜がある状態で置かれているときは出力値として０を出力する。
【００７８】
傾斜感知センサは携帯電話端末１００の内部に配置する。携帯電話端末１００が机の上等の略水平に置かれた状態のとき、傾斜感知センサは略水平な状態であることを出力値として０を出力し、ユーザが持っているため略水平ではない状態であるとき、傾斜感知センサは略水平ではない状態であることを示す出力値として１を出力する。
【００７９】
また、記憶部６に記憶する第２の条件は「傾斜感知センサからの出力値が１である」とする。接触感知センサ１０として傾斜感知センサを用いた場合の各動作フローは、本実施の形態の動作フローと同じであるので説明は省略する。
【００８０】
接触感知センサ１０として傾斜感知センサを用いると、携帯電話端末１００が机などの略水平な物の上に置かれている場合は不在着信があることを通知せず、略水平な物の上に置かれていない場合は不在着信があることを通知することが可能となる。また、接触感知センサ１０として温度センサを用いた場合に比べて、構成が容易である。
【００８１】
さらに、ユーザが携帯電話端末１００に接近したことを検出するセンサとして、誘導電磁界又は電波によって非接触で近距離通信を行うＲＦＩＤ（Ｒａｄｉｏ  Ｆｒｅｑｕｅｎｃｙ  Ｉｄｅｎｔｉｆｉｃａｔｉｏｎ）が挙げられる。
【００８２】
ＲＦＩＤを用いた場合について説明する。ＲＦＩＤは、常時電波を発するリーダライタと、その電波を受けＩＤ認証を行うデータをリーダライタに送信するＲＦタグで構成されている。接触感知センサ１０としてリーダライタを携帯電話端末１００に内蔵し、ユーザが携帯電話端末１００とは別にＲＦタグを所有する。
【００８３】
接触感知センサ１０から発する電波を、ＲＦタグが受信すると、ＲＦタグはリーダライタからの電波を受けID認証を行うデータをリーダライタに送信する。リーダライタは受信したデータでＩＤ認証を行い、このＲＦタグは携帯電話端末１００のユーザが持っているＲＦタグであるか否かを検出する。リーダライタは、ユーザが持っているＲＦタグである場合、出力値として１を判定部１１に出力し、ユーザが持っているＲＦタグではない場合出力値として０を出力する。
【００８４】
また、記憶部６に記憶する第２の条件を「リーダライタの出力値が１である」とし、リーダライタの出力値が１である場合、判定部１１は第２の条件を満たすと判定し通知部８による通知を行う。
【００８５】
以下、接触感知センサ１０としてリーダライタを用いた場合の、不在着信があることをユーザに通知する方法について図１６を用いて説明する。図１６は、不在着信があることをユーザに通知するまでの動作フローの一例を示すものである。図１６におけるステップＥ１からステップＥ３は、図１２におけるステップＢ１からステップＢ３と同じ動作である。
【００８６】
ステップＥ１において、判定部１１は記憶部６に不在着信情報１５が記憶されているかを判定する。記憶されていないと判定したときは不在着信通知フローを終了し、記憶されていると判定したときはステップＥ２に移る。
【００８７】
ステップＥ２では、判定部１１は置き方センサ９の検出値を取得し、ステップＥ３では第１の条件を満たすかを判定する。携帯電話端末１００が、表示部５がユーザから見えない状態で置かれている場合、置き方センサ９は出力値として０を出力する。この場合、判定部１１は記憶部６に記憶された第１の条件を満たすと判定し、ステップＥ４に移る。携帯電話端末１００が、表示部５がユーザから見える状態で置かれている場合、置き方センサ９は出力値として１を出力する。この場合、判定部１１は第１の条件を満たさないと判定し、不在着信通知フローを終了する。
【００８８】
ステップＥ４では、リーダライタはＲＦタグからのＩＤ認証を行うデータを受信する。ステップＥ５では、データを受信するとリーダライタはＩＤ認証を行い、データを送信したＲＦタグがユーザの持つＲＦタグであれば出力値として１を出力する。この場合判定部１１は第２の条件を満たすと判定し、ステップＥ６に移る。ユーザの持つＲＦタグではないＲＦタグであれば出力値として０を出力し、この場合、第２の条件を満たさないと判定し、ステップＥ４に戻る。
【００８９】
ステップＥ６では、通知部８が音または振動を発生させてユーザに対して不在着信があることを通知する。その後、不在着信通知フローを終了する。
【００９０】
このように、ＲＦＩＤを用いた場合、リーダライタと通信可能なＲＦタグが、リーダライタからの電波を受信すると、ＲＦタグはＩＤ認証を行う所定の情報をリーダライタへ送信し、リーダライタは受信した所定の情報を用いてＩＤ認証を行い、このＲＦタグが携帯電話端末１００のユーザが持つＲＦタグである場合、不在着信があることを通知することができる。
【００９１】
すなわち、ユーザ以外が携帯電話端末１００に近づいても通知は行われず、ユーザが近づいたときのみ不在着信があることを通知することができる。
【００９２】
なお、ＲＦタグがリーダライタからの電波を受信できる領域を設定することにより、ＲＦタグがどの範囲までリーダライタと近づいたとき不在着信を通知するかを設定することができる。
【００９３】
また、ＲＦＩＤのようにＲＦタグのような通信が可能な端末とＩＤ認証を行ってユーザが携帯電話端末１００に近づいたことを検出するセンサに限らず、携帯電話端末とＢｌｕｅｔｏｏｔｈ等の無線によって接続される、予め携帯電話端末と１対１に関連付けられたヘッドセットをユーザが有し、そのヘッドセットが携帯電話端末から発せられる電波を受信できる領域にある場合、ＲＦＩＤを用いた場合と同様にユーザに対して不在着信があることを通知するようにしてもよい。
【００９４】
また、接触感知センサ１０として非接触型温度センサ、超音波センサ、赤外線センサ等を用い、接触感知センサ１０からの電波に対してユーザから接触感知センサ１０へ電波が送信されることにより、接触感知センサ１０からの電波が届く位置にユーザがいることを検出し、不在着信があることを通知するようにしてもよい。この場合、ユーザに限らず全ての動体が接触感知センサ１０からの電波を受信できる位置にいれば不在着信があることを通知することができる。
【００９５】
さらに、通知部８は音や振動を発生するものに限らず、ＬＥＤ等を用いて光を発生させたり、その他ユーザに対して通知する手段であればよい。
【００９６】
また、本実施の形態では装置について説明したが、携帯電話端末の各構成を制御する制御部３に本実施の形態における動作フローの処理を実行させるプログラムを格納し、プログラムを実行させることにより同様の効果を得ることができる。
【００９７】
以下、プログラムを用いた場合について説明する。図４において、プログラムを制御部３が有するプログラム格納部２２に記憶し、プログラムを実行することにより本実施の形態と同様の処理を行う場合を説明する。
【００９８】
プログラムにより実現される不在着信があることをユーザに通知する方法について図１２を用いて説明する。ステップＢ１において制御部３は記憶部６に不在着信情報１５が記憶されているかを確認する。記憶されていないときは不在着信通知フローを終了し、記憶されているときはステップＢ２に移る。
【００９９】
ステップＢ２では、置き方センサ９からの検出値が第１の条件を満たすかを制御部３が判定する。第１の条件を満たす検出値である場合はステップＢ４に移る。第１の条件を満たさない検出値である場合、不在着信通知フローを終了する。
【０１００】
ステップＢ４では、接触感知センサ１０からの検出値が第２の条件を満たすかを制御部３が判定する。検出値が第２の条件を満たす検出値である場合はステップＢ６に移る。第２の条件を満たさない検出値である場合、ステップＢ４に戻る。
【０１０１】
ステップＢ６では、通知部により音または振動を発生させてユーザに対して不在着信があることを通知させる。その後、不在着信通知フローを終了する。
【０１０２】
このように、制御部３に本実施の形態における動作フローの処理を実行させるプログラムを格納し、プログラムを実行させることにより本実施の形態と同様の効果を得ることができる。
【０１０３】
また、上記各構成に上記と同じ動作処理を実行させる制御部３を、半導体集積回路２３で構成し、その半導体集積回路２３を組み込んだ携帯電話端末でも本実施の形態と同様の効果を得ることができる。以下、半導体集積回路２３を用いた場合の不在着信があることをユーザに通知する方法について図４を用いて説明する。
【０１０４】
不在着信があることをユーザに通知する方法について図１２を用いて説明する。ステップＢ１において半導体集積回路２３の中にある制御部３は記憶部６に不在着信情報１５が記憶されているかを確認する。記憶されていないときは不在着信通知フローを終了し、記憶されているときはステップＢ２に移る。
【０１０５】
ステップＢ２では、制御部３は置き方センサ９からの検出値を取得し、判定部１１へ出力し、判定部１１により検出値が第１の条件を満たすかを判定させる。制御部３は判定部１１から第１の条件を満たすと判定したことを示す入力を受けた場合、ステップＢ４に移る。制御部３は判定部１１から第１の条件を満たさないと判定したことを示す入力を受けた場合、不在着信通知フローを終了する。
【０１０６】
ステップＢ４では、制御部３は接触感知センサ１０からの検出値を取得し、判定部１１へ出力し、ステップＢ５において判定部１１により検出値が第２の条件を満たすかを判定させる。制御部３は判定部１１により第２の条件を満たすと判定したことを示す入力を受けた場合、ステップＢ６に移る。判定部１１により第２の条件を満たさないと判定したことを示す入力を受けた場合、ステップＢ４に戻る。
【０１０７】
ステップＢ６では、制御部３は、音または振動を発生させてユーザに対して不在着信があることを通知部８により通知を行わせる。その後、不在着信通知フローを終了する。
【０１０８】
このように、本実施の形態における携帯電話端末１００の各構成に対して本実施の形態における動作処理を実行させる制御部３を、半導体集積回路２３で構成し、その半導体チップを組み込んだ携帯電話端末でも本実施の形態と同様の効果を得ることができる。
【０１０９】
また、判定部１１が半導体集積回路２３で構成され、判定部１１が各構成を制御する場合について、不在着信があることをユーザに通知する方法について図１２を用いて以下説明する。
【０１１０】
ステップＢ１において半導体集積回路２３の中にある判定部１１は記憶部６に不在着信情報１５が記憶されているかを判定する。記憶されていないと判定したときは不在着信通知フローを終了し、記憶されていると判定したときはステップＢ２に移る。
【０１１１】
ステップＢ２では、判定部１１は置き方センサ９からの検出値を取得し、検出値が第１の条件を満たすかを判定する。第１の条件を満たすと判定したとき、ステップＢ４に移る。第１の条件を満たさないと判定したとき、不在着信通知フローを終了する。
【０１１２】
ステップＢ４では、判定部１１は接触感知センサ１０からの検出値を取得し、ステップＢ５で検出値が第２の条件を満たすかを判定する。第２の条件を満たすと判定したとき、ステップＢ６に移る。第２の条件を満たさないと判定したとき、ステップＢ４に戻る。
【０１１３】
ステップＢ６では、判定部１１は、通知部８によりユーザに対して不在着信があることを通知させる。その後、不在着信通知フローを終了する。
【０１１４】
このように、本実施の形態における携帯電話端末１００の各構成に対して本実施の形態における動作処理を実行させる判定部１１を半導体集積回路２３で構成し、その半導体チップを組み込んだ携帯電話端末でも本実施の形態と同様の効果を得ることができる。
【０１１５】
上述したように制御部３のみを半導体集積回路２３で構成するだけでなく、制御部３と記憶部６とを１つの半導体集積回路２３で構成したり、制御部３と記憶部６と判定部１１とを１つの半導体集積回路２３で構成したり、判定部１１における判定処理を行うプログラムを有する制御部３を半導体集積回路２３で構成することにより、その半導体集積回路２３を組み込んだ携帯電話端末でも本実施の形態と同様の効果を得ることができる。
【０１１６】
さらに、留守録や伝言メモ等のデータの有無によって通知方法を変えたり、記憶部６に記憶された全ての不在着信情報１５のうち特定の不在着信に関してのみ通知を行うようにする等、ユーザが通知方法、通知対象を予め設定できるようにしてもよい。
【０１１７】
一例として、記憶部６に記憶された不在着信情報１５のうち特定の不在着信に関してのみ通知を行うような設定を行う場合について図４を用いて説明する。
【０１１８】
入力部４が受け付けたユーザからの操作により、表示部５は、図１７に示す設定画面を表示する。ユーザからの操作により入力された、何時間前までに受けた不在着信について通知を行う（図１７では１２時間前）、またはアドレス帳に登録した相手からの不在着信のみ通知を行うという設定情報を、記憶部６に記憶する。
【０１１９】
次に、不在着信をユーザに通知する動作フローの一例を、図１８を用いて説明する。図１８では、図１２に比べて不在着信情報１５が上述した設定を満たす不在着信であるかを判定するステップ７が追加されている。図１８において、図１２と同じ符号のステップについては説明を省略する。
【０１２０】
ステップＢ１において、判定部１１は記憶部６に不在着信情報１５が記憶されているかを判定する。記憶されていると判定したとき、ステップＢ７に移る。  
【０１２１】
ステップＢ７では、記憶部６に記憶された不在着信情報１５が、設定情報１９を満たすかを判定する。記憶部６に記憶された不在着信情報１５の着信日時が現在時刻から１２時間前以降に受けた着信である場合、設定情報１９を満たすと判定しステップＢ２に移る。ステップＢ２以降は図１２と同様であるため説明を省略する。１２時間前以前に受けた着信である場合は設定情報１９を満たさないと判定し、不在着信通知フローを終了する。
【０１２２】
以上のように、予めユーザが通知を行う不在着信情報１５について設定することにより、記憶部６に記憶された不在着信情報１５のうちユーザが設定した設定情報１９に当てはまる不在着信情報１５が記憶されている場合のみ通知を行うことができる。
【０１２３】
また、本実施の形態では電話の着信について説明したが、メールの着信の場合も図９または図１２を用いて説明した、ユーザに接触されたとき不在着信があることを通知する動作フローを行うことにより、同様の効果を奏することができる。
【０１２４】
（実施の形態２）
【０１２５】
図１９は、本発明の実施の形態２における携帯電話端末１０１の構成を示すブロック図である。本実施の形態の携帯電話端末は、記憶部６に不在着信情報１５が記憶されていない間はユーザと接触したことを検出する必要がないことから、記憶部６に不在着信情報１５が記憶されていない間は置き方センサ９と接触感知センサ１０への電力供給をなくし電力の消費を減らすものである
【０１２６】
本発明の実施の形態における携帯電話端末１０１は、上記実施の形態１における携帯電話端末の構成に、さらに切換部２４と電源２５とを備えたものである。実施の形態１の携帯電話端末と同じ構成については説明を省略する。
【０１２７】
電源２５は、置き方センサ９と接触感知センサ１０とに電力を供給する電源である。切換部２４は、電源２５と置き方センサ９または接触感知センサ１０とを接続または切断するよう配置している。判定部１１が記憶部６に不在着信情報１５が記憶されていないと判定した場合、切換部２４は、電源２５と置き方センサ９または接触感知センサ１０とを切断する。判定部１１が記憶部６に不在着信情報１５が記憶されていると判定した場合、切換部２４は、電源２５と置き方センサ９または接触感知センサ１０とを接続する。
【０１２８】
まず、図２０を用いて着信を受けたときに不在着信情報１５を記憶する方法について説明する。図２０では、図８にステップＡ８とステップＡ１０を追加している。不在着信情報１５が記憶部６にない場合、切換部２４が、電源２５と置き方センサ９または接触感知センサ１０とを電源切断状態にするものである。
【０１２９】
ステップＡ３において、着信動作中にユーザが着信に応答したと判定部１１が判定したとき、着信情報を記憶部６に記憶し（ステップＡ７）、ステップＡ９に移る。
【０１３０】
ステップＡ９では、切換部２４が、電源２５と置き方センサ９または接触感知センサ１０とを電源切断状態にする。すでに電源切断状態である場合、切換部２４は切断状態を維持する。その後、不在着信保存フローを終了する。これにより、置き方センサ９と接触感知センサ１０への電力の供給をストップし、置き方センサ９と接触感知センサ１０での電力消費をなくすことができる。
【０１３１】
ステップＡ３において、着信動作中にユーザが着信に応答しなかった場合、通信が切断されると（ステップＡ４）、着信動作を終了し（ステップＡ５）、不在着信情報１５を記憶部６に記憶し（ステップＡ６）、ステップＡ８に移る。
【０１３２】
ステップＡ８では、切換部２４が、電源２５と置き方センサ９または接触感知センサ１０とを電源接続状態にする。すでに電源接続状態である場合は、切換部２４は電源接続状態を維持する。その後、不在着信保存フローを終了する。これにより、置き方センサ９に電力が供給され置き方センサ９と接触感知センサ１０による検出が開始される。
【０１３３】
次に、図２１を用いて、不在着信があることをユーザに通知する方法について説明する。図２１では、図１２にステップＢ７とステップＢ８を追加している。不在着信情報１５がある場合、ステップＢ８において切換部２４が、電源２５と置き方センサ９または接触感知センサ１０とを電源接続状態にし、不在着信情報１５がない場合、ステップＢ７において切換部２４が、電源２５と置き方センサ９または電源２５と接触感知センサ１０を電源切断状態にするものである。
【０１３４】
ステップＢ１において、判定部１１は記憶部６に不在着信情報１５が記憶されているかを判定する。記憶されていないと判定したとき、ステップＢ７に移る。
【０１３５】
ステップＢ７では、切換部２４が、電源２５と置き方センサ９または接触感知センサ１０とを電源切断状態にし、既に電源切断状態の場合、切換部２４は電源切断状態を維持し、不在着信通知フローを終了する。ステップＢ１で判定部１１が、記憶部６に不在着信情報１５が記憶されていると判定したとき、ステップＢ８に移る。
【０１３６】
ステップＢ８は、切換部２４が、電源２５と置き方センサ９または接触感知センサ１０とを電源接続状態にし、既に電源接続状態の場合、切換部２４は電源接続状態を維持し、ステップＢ２へ移る。ステップＢ２以下の動作については説明を省略する。
【０１３７】
さらに、図２２を用いて不在着信情報１５をユーザが確認した場合の動作フローを説明する。図２２では、図１０にステップＣ４を追加している。ユーザが不在着信を確認すると、ステップＣ４において切換部２４が、電源２５と置き方センサ９または接触感知センサ１０とを電源切断状態にするものである。
【０１３８】
ステップＣ１において、着信履歴が確認されると、不在着信情報１５を表示部５に表示し（ステップＣ２）、不在着信情報１５に含まれるユーザが応答していないことを示すフラグ１６を消去し（ステップＣ３）、ステップＣ４に移る。
【０１３９】
ステップＣ４では、切換部２４が、電源２５と置き方センサ９または接触感知センサ１０とを電源切断状態にする。既に電源切断状態である場合、切換部２４は電源切断状態を維持する。その後、不在着信確認フローを終了する。
【０１４０】
以上のように、本実施の形態における携帯電話端末１０１では、判定部１１が記憶部６に不在着信情報１５が記憶されているかを判定し、記憶されていると判定した場合に切換部２４が、電源２５と置き方センサ９または接触感知センサ１０とを電源接続状態にする。また、記憶されていないと判定した場合に切換部２４が、電源２５と置き方センサ９または接触感知センサ１０とを電源切断状態にする。
【０１４１】
これにより、不在着信情報１５が記憶部６に記憶されていない間は置き方センサ９と接触感知センサ１０への電力供給をストップさせることが可能となり、置き方センサ９と接触感知センサ１０での電力の消費をなくすことができる。
【産業上の利用可能性】
【０１４２】
本発明は、ユーザが接触したときに不在着信があることを通知することができる通知機能を備える携帯電話、ＰＤＡ、パーソナルコンピュータ等の通信端末に有用である。
【図面の簡単な説明】
【０１４３】
【図１】従来技術における不在着信があることを表示部に示す説明図
【図２】（ａ）本発明の実施の形態１におけるストレートタイプの携帯電話端末の外観構成図  （ｂ）本発明の実施の形態１における２画面折りたたみタイプの携帯電話端末の閉状態における外観構成図  （ｃ）本発明の実施の形態１における１画面折りたたみタイプの携帯電話端末の閉状態の外観構成図  （ｄ）（ｂ）と（ｃ）に示す本発明の実施の形態１における折りたたみタイプの携帯電話端末の開状態の外観構成図
【図３】（ａ）本発明の実施の形態１におけるストレートタイプの携帯電話端末における表示部５がユーザから見えない状態を示す説明図  （ｂ）本発明の実施の形態１における２画面折りたたみタイプの携帯電話端末における表示部５ユーザから見えない状態を示す説明図  （ｃ）本発明の実施の形態１における１画面折りたたみタイプの携帯電話端末における表示部５ユーザから見えない状態を示す説明図
【図４】本発明の実施の形態１における携帯電話端末１００のブロック図
【図５】（ａ）本発明の実施の形態１におけるストレートタイプの携帯電話端末における接触感知センサの配置図  （ｂ）本発明の実施の形態１における２画面折りたたみタイプの携帯電話端末における接触感知センサの配置図  （ｃ）本発明の実施の形態１における１画面折りたたみタイプの携帯電話端末における接触感知センサの配置図
【図６】（ａ）本発明の実施の形態１における可動子１２が矢印の方向からの力を受けスイッチ１３がオンとなっている状態の説明図  （ｂ）本発明の実施の形態１における可動子１２が力を受けていないためスイッチ１３がオフとなっている状態の説明図
【図７】（ａ）本発明の実施の形態１におけるストレートタイプの携帯電話端末における温度センサの検出部分を示す正面図  （ｂ）本発明の実施の形態１におけるストレートタイプの携帯電話端末における温度センサの検出部分を示す側面図
【図８】本発明の実施の形態１における着信を受けてから不在着信を記憶するまでの動作を示すフローチャート
【図９】本発明の実施の形態１における不在着信を通知するまでの動作を示すフローチャート
【図１０】本発明の実施の形態１におけるユーザが不在着信を確認したときの動作を示すフローチャート
【図１１】（ａ）不在着信情報１５の構造図  （ｂ）着信情報１４の構造図  （ｃ）不在着信情報１５の変形例の構造図  （ｄ）不在着信情報１５の変形例の構造図
【図１２】本発明の実施の形態１における置き方センサ９を用いた場合の不在着信を通知するまでの動作を示すフローチャート
【図１３】（ａ）（ｂ）本発明の実施の形態１における携帯電話端末の温度センサの検出部分の一例を示す説明図
【図１４】（ａ）本発明の実施の形態１におけるストレートタイプの携帯電話端末における照度センサの配置図  （ｂ）本発明の実施の形態１における２画面折りたたみタイプの携帯電話端末における照度センサの配置図  （ｃ）本発明の実施の形態１における１画面折りたたみタイプの携帯電話端末における照度センサの配置図
【図１５】本発明の実施の形態１における、不在着信を通知するまでの動作の変形例を示すフローチャート
【図１６】本発明の実施の形態１におけるＲＦＩＤを用いた場合の不在着信を通知するまでの動作を示すフローチャート
【図１７】本発明の実施の形態１における携帯電話端末の通知を行う不在着信を特定する表示部５の設定画面表示図
【図１８】本発明の実施の形態１における携帯電話端末の通知を行う不在着信を特定した場合の不在着信通知動作を示すフローチャート
【図１９】本発明の実施の形態２における携帯電話端末１０１のブロック図
【図２０】本発明の実施の形態２における着信を受けてから不在着信を記憶するまでの動作を示すフローチャート
【図２１】本発明の実施の形態２における不在着信を通知するまでの動作を示すフローチャート
【図２２】本発明の実施の形態２におけるユーザが不在着信を確認したときの動作を示すフローチャート
【符号の説明】
【０１４４】
１      アンテナ
２      無線部
３      制御部
４      入力部
５      表示部
６      記憶部
７      音声入出力部
８      通知部
９      置き方センサ
１０    接触感知センサ
１１    判定部
１２    接触感知センサを構成する可動子
１３    接触感知センサを構成するスイッチ
１４    着信情報
１５    不在着信情報
１６    ユーザが応答していないことを示すフラグ
１７    ユーザが応答したことを示すフラグ
１８    ユーザが確認したことを示すフラグ
１９    設定情報
２０    着信履歴ボタン
２１    電源ボタン
２２    プログラム格納部
２３    半導体チップ
２４    切換部
２５    電源
１００  携帯電話端末
１０１  携帯電話端末
【図１】
2006295554.tif 000003
【図２】
2006295554.tif 000004
【図３】
2006295554.tif 000005
【図４】
2006295554.tif 000006
【図５】
2006295554.tif 000007
【図６】
2006295554.tif 000008
【図７】
2006295554.tif 000009
【図８】
2006295554.tif 000010
【図９】
2006295554.tif 000011
【図１０】
2006295554.tif 000012
【図１１】
2006295554.tif 000013
【図１２】
2006295554.tif 000014
【図１３】
2006295554.tif 000015
【図１４】
2006295554.tif 000016
【図１５】
2006295554.tif 000017
【図１６】
2006295554.tif 000018
【図１７】
2006295554.tif 000019
【図１８】
2006295554.tif 000020
【図１９】
2006295554.tif 000021
【図２０】
2006295554.tif 000022
【図２１】
2006295554.tif 000023
【図２２】
2006295554.tif 000024